(57)【要約】【課題】検査目的に応じて、予め設定した処理手順に従って放射線画像を処理することで、操作者の作業負担を軽減すること。【解決手段】情報処理装置は、放射線撮影による検査目的を設定する目的設定部と、検査目的に対応した放射線画像の処理を選択し、表示部の編集領域に設定する選択設定部と、設定された処理に基づいて、検査目的に対応した処理手順を生成する生成部と、を備える。【選択図】図１
2019180605.tif 000002
【特許請求の範囲】
【請求項１】
放射線撮影による検査目的を設定する目的設定手段と、
前記検査目的に対応した放射線画像の処理を選択し、表示手段の編集領域に設定する選択設定手段と、
前記設定された処理に基づいて、前記検査目的に対応した処理手順を生成する生成手段と、
を備えることを特徴とする情報処理装置。
【請求項２】
外部から検査情報を取得する取得手段と、
前記検査情報に含まれる検査目的に対応した処理手順に基づいて、前記放射線画像の処理を行う実行手段と、
を更に備えることを特徴とする請求項１に記載の情報処理装置。
【請求項３】
前記選択設定手段は、前記放射線画像の処理として、前記表示手段の表示領域に表示されている項目から画像処理を選択し、前記編集領域に設定することを特徴とする請求項１または２に記載の情報処理装置。
【請求項４】
前記放射線画像の処理が前記編集領域に複数設定されている場合、前記生成手段は、前記複数設定されている処理の組み合せに基づいて前記放射線画像の処理を行う一連の処理手順を生成することを特徴とする請求項１乃至３のいずれか１項に記載の情報処理装置。
【請求項５】
前記検査目的に応じて、前記表示手段の表示領域において選択可能な処理の表示を変更させる表示制御手段を更に備えることを特徴とする請求項３に記載の情報処理装置。
【請求項６】
前記目的設定手段は、表示手段に表示されたＧＵＩからの入力、または、外部機器から受信した検査情報に含まれる検査の依頼元の情報に基づいて、前記検査目的を設定することを特徴とする請求項１乃至５のいずれか１項に記載の情報処理装置。
【請求項７】
前記検査の依頼元の情報に基づいて、前記処理手順の実行条件を設定する条件設定手段を更に備えることを特徴とする請求項６に記載の情報処理装置。
【請求項８】
前記条件設定手段は、前記処理手順の実行条件として操作者の識別情報と、前記生成された処理手順の公開範囲を設定することを特徴とする請求項７に記載の情報処理装置。
【請求項９】
前記画像処理として前記放射線画像の複製画像を生成する場合に、画像の生成条件として、外部機器側での読影の順番に応じて、前記複製画像を格納する階層構造を設定する詳細設定手段を更に備えることを特徴とする請求項３に記載の情報処理装置。
【請求項１０】
前記詳細設定手段により前記複製画像が別検査の画像として生成することが設定された場合、前記選択設定手段は、前記表示手段の編集領域に前記別検査の画像に対する処理を設定し、前記生成手段は前記別検査の画像に対する処理手順を生成することを特徴とする請求項９に記載の情報処理装置。
【請求項１１】
前記選択設定手段により、前記表示手段の表示領域から条件判断処理が選択され、前記表示手段の編集領域に設定された場合、
前記生成手段は、前記処理の結果に対して前記条件判断処理を行う処理手順を生成することを特徴とする請求項１乃至１０のいずれか１項に記載の情報処理装置。
【請求項１２】
前記条件設定手段は、複数の検査目的が設定されている場合に、実行条件の重複の有無を判定し、
前記生成手段は、前記実行条件の重複が有る場合に、予め設定されている優先度に基づいて、処理手順の生成を行うことを特徴する請求項７または８に記載の情報処理装置。
【請求項１３】
前記選択設定手段は、前記放射線画像の撮影終了後の後処理として行う画像処理を、前記表示手段の表示領域から選択し、前記編集領域に設定することを特徴とする請求項１乃至１２のいずれか１項に記載の情報処理装置。
【請求項１４】
前記目的設定手段により前記検査目的として緊急検査が設定されている場合、前記選択設定手段は、前記緊急検査に対応した放射線画像の処理として、前記表示手段の表示領域から画像出力を選択し、前記編集領域に設定することを特徴とする請求項１乃至１３のいずれか１項に記載の情報処理装置。
【請求項１５】
前記表示制御手段は、前記処理手順に基づいて処理した画像を縮小したサムネイル画像と、前記処理手順の内容を示すテキスト表示とを組み合せて前記表示手段に表示することを特徴とする請求項５に記載の情報処理装置。
【請求項１６】
放射線撮影による検査目的を決定する目的決定手段と、
前記検査目的に対応する処理手順を読み出す読出手段と、
被検者を透過した放射線画像を撮影する撮影手段と、
前記処理手順に基づいて、前記放射線画像の処理を行う実行手段と、
を備えることを特徴とする放射線撮影装置。
【請求項１７】
放射線撮影による検査目的を決定する目的決定手段と、
前記検査目的に対応する処理手順を読み出す読出手段と、
被検者を透過した放射線画像を撮影する撮影手段と、
前記処理手順に基づいて、前記放射線画像の処理を行う実行手段と、
を備えることを特徴とする放射線撮影システム。
【請求項１８】
放射線撮影による検査目的を決定する目的決定工程と、
前記検査目的に対応した放射線画像の処理を選択し、表示手段の編集領域に設定する選択設定工程と、
前記設定された処理に基づいて、前記検査目的に対応した処理手順を生成する生成工程と、
を有することを特徴とする情報処理方法。
【請求項１９】
コンピュータに、請求項１８に記載の情報処理方法の各工程を実行させるプログラム。
【発明の詳細な説明】
【技術分野】
【０００１】
本発明は、情報処理装置、放射線撮影装置、放射線撮影システム、情報処理方法及びプログラムに関する。
【背景技術】
【０００２】
特許文献１には、放射線情報システム（ＲＩＳ：Radiology Information Systems）から検査情報を受信すると、撮影手技を特定するコードを読み取り、特定された撮影手技で要求される撮影部位や方向に基づいて放射線撮影を行う技術が開示されている。放射線撮影において、操作者は、検査情報に基づき、撮影部位、撮影方向などを特定し、依頼元から要求された放射線画像の撮影を行う。
【先行技術文献】
【特許文献】
【０００３】
【特許文献１】特開２００３-２８４７０９号公報
【発明の概要】
【発明が解決しようとする課題】
【０００４】
しかしながら、検査情報に含まれるのは結果としての画像の指示であり、どのような画像処理をして画像を取得するかといった情報は含まれていない。このため、検査目的や依頼元によりそれぞれ異なる処理手順を操作者が判断して要求された画像を準備する場合、操作者の作業負担が増加し得る。
【０００５】
本発明は、検査目的に応じて、予め設定した処理手順に従って放射線画像を処理することで、操作者の作業負担を軽減可能な技術の提供を目的とする。
【課題を解決するための手段】
【０００６】
本発明の目的を達成するために、本発明の一態様による情報処理装置は、
放射線撮影による検査目的を設定する目的設定手段と、
前記検査目的に対応した放射線画像の処理を選択し、表示手段の編集領域に設定する選択設定手段と、
前記設定された処理に基づいて、前記検査目的に対応した処理手順を生成する生成手段と、を備えることを特徴とする。
【発明の効果】
【０００７】
本発明によれば、検査目的に応じて、予め設定した処理手順に従って放射線画像を処理することで、操作者の作業負担を軽減することが可能になる。
【図面の簡単な説明】
【０００８】
【図１】実施形態に係る放射線撮影システムのハードウェア構成図。
【図２】実施形態に係る制御部の機能構成を説明する図。
【図３】実施形態に係る放射線撮影処理のフローを説明する図。
【図４】放射線撮影システムのＧＵＩを説明する図。
【図５】放射線撮影システムのＧＵＩを説明する図。
【図６】（ａ）検査目的の編集画面の一例を示す図、（ｂ）実行条件設定部の内容を設定する詳細設定画面を示す図。
【図７】放射線撮影システムのＧＵＩを説明する図。
【図８】画像コピーブロックの詳細設定を行う際のＧＵＩを例示する図。
【図９】処理編集部における検査ブロックの表示例を示す図。
【図１０】体動検知処理の条件判断を含む処理手順のＧＵＩを例示する図。
【図１１】放射線撮影システムのＧＵＩを説明する図。
【図１２】放射線撮影システムのＧＵＩを説明する図。
【発明を実施するための形態】
【０００９】
以下、図面を参照して、本発明の実施形態を例示的に詳しく説明する。ただし、この実施形態に記載されている構成要素はあくまで例示であり、以下の個別の実施形態によって限定されるわけではない。尚、放射線は、放射線の他、α線、β線、γ線、及び各種粒子線なども含む。
【００１０】
［実施形態１］
（放射線撮影システムのハードウェア構成）
図１は、本実施形態に係る放射線撮影システムのハードウェア構成例を示すである。尚、図１のハードウェア構成を放射線撮影装置という場合もある。図１に示すように、放射線撮影システムは、例えば、制御部１０１、センサ部１０２、放射線発生部１０３、表示部１０４、操作部１０５および外部機器１０６を有する。
【００１１】
制御部１０１は、操作者による入力情報に基づき、センサ部１０２の駆動や放射線発生部１０３を制御する。また、制御部１０１は、センサ部１０２から出力されるデータを補正するセンサ補正データや、放射線撮影条件、画像データなどの各種データを管理する情報処理装置として機能する。
【００１２】
制御部１０１は、コンピュータの構成として、例えば、ＲＡＭ１１０、ＲＯＭ１１１、ＬＡＮ/ＩＦ１１２、ＤＩＳＫ/ＩＦ１１３、ＣＰＵ１１４、ハードディスクなどの不揮発性の記憶装置１１５を有する。そして、これらのハードウェアは、システムバス１１６によって互いに接続されている。
【００１３】
センサ部１０２は、例えば、ＴＦＴのようなスイッチ素子と光電変換素子とを含む画素が二次元状（例えば２次元アレイ状）に配設されており、各光電変換素子上には、例えば、放射線を可視光に変換する蛍光体が設けられて構成されている。
【００１４】
放射線発生部１０３からセンサ部１０２に照射された放射線は、蛍光体で可視光に変換され、変換された可視光が各画素の光電変換素子に入射し、各光電変換素子において、可視光に応じた電荷（電気信号）が放射線画像データとして生成される。センサ部１０２は、制御部１０１により駆動タイミングが制御され、生成された放射線画像データは制御部１０１へ転送される。
【００１５】
放射線発生部１０３は、制御部１０１による照射制御に基づいて、被検者およびセンサ部１０２に対して放射線を照射する装置である。放射線発生部１０３は、制御部１０１からの信号により放射線を照射し、放射線発生部１０３から照射された放射線は、照射タイミングに同期したセンサ部１０２により検出される。
【００１６】
表示部１０４は、例えば、ＣＲＴや液晶ディスプレイなどのモニタを用いて構成され、画像データやＧＵＩ（グラフィカルユーザインタフェース）などを画面に表示する。
【００１７】
操作部１０５は、マウス、キーボード、照射スイッチなどの入力装置を用いて構成され、操作者が制御部１０１や表示部１０４のＧＵＩに対して各種コマンドやデータを入力するために使用される。尚、タッチパネルのように表示部１０４と操作部１０５との両方の機能を有するモニタを用いることも可能である。
【００１８】
外部機器１０６は、例えば、撮影オーダーの取得先である、放射線科情報システム(ＲＩＳ：Radiology Information Systems)や撮影画像を保存、表示するための画像保存通信システム(ＰＡＣＳ：Picture Archiving and Communication Systems)、ＤＩＣＯＭ（Digital Imaging and Communications in Medicine）ビューワなどに代表されるDICOM通信可能な外部システム全般を示している。
【００１９】
（制御部１０１の機能構成）
次に制御部１０１の機能構成例について図２を用いて説明する。尚、以下では、各機能部が制御部１０１の機能として実現される例について説明するが、放射線撮影システム内の他の装置によって、これらの機能のうちの少なくとも一部が実現されてもよい。
【００２０】
図２は、制御部１０１の機能構成を示すブロック図である。制御部１０１は、記憶装置１１５に記憶されている制御プログラムを実行することにより、制御部１０１は、目的設定部２０１、選択設定部２０２、処理手順生成部２０３、表示制御部２０４、条件設定部２０５、詳細設定部２０６、処理手順保存部２０７、目的決定部２０８、処理手順読出部２０９、処理手順実行部２１０として機能する。
【００２１】
目的設定部２０１は、表示部１０４に表示されたＧＵＩからの入力に基づいて、放射線撮影による検査目的を設定する処理を行う。例えば、操作者がＧＵＩの目的入力部（例えば、図５の５０２）に放射線撮影による検査目的を入力すると、ＧＵＩの目的入力部の入力結果に基づいて、目的設定部２０１は、放射線撮影による検査目的を設定する。目的設定部２０１は、ＧＵＩ上の検査目的の一覧から検査の目的を設定することも可能である。目的設定部２０１は、表示部１０４に表示されたＧＵＩからの入力、または、外部機器１０６から受信した検査情報に含まれる検査の依頼元の情報に基づいて、放射線撮影による検査目的を設定することが可能である。
【００２２】
目的設定部２０１の処理により設定された放射線撮影による検査目的が、後に説明する処理手順と関連付けられて記憶装置１１５に保存される。処理手順を実行する際には、目的決定部２０８により決定された目的に基づいて、処理手順が処理手順読出部２０９により読み出され、処理手順実行部２１０により実行される。
【００２３】
選択設定部２０２は、放射線撮影による検査目的に対応した放射線画像の処理を選択し、表示部１０４の編集領域に設定する。より具体的には、選択設定部２０２は、放射線撮影による検査目的に対応した放射線画像の処理を、表示部１０４の表示領域（例えば、図５の５０４、５０５、５０６）から選択し、表示部１０４の編集領域（例えば、図５の５０７）に設定する。
【００２４】
表示部１０４の表示領域には、種々の項目が表示されている。選択設定部２０２は、放射線画像の処理として、表示部１０４の表示領域に表示されている項目から画像処理を選択し、表示部１０４の編集領域に設定する。選択設定部２０２は、例えば、操作者によるマウス等の操作部１０５のドラッグアンドドロップ操作に基づいて処理を行う。操作者が、表示部１０４の表示領域に表示されている処理（ブロック）を操作部１０５の操作により選択（ドラッグ）し、表示部１０４の編集領域に、選択した処理を設定（ドロップ）すると、放射線撮影による検査目的に対応した放射線画像の処理が、表示部１０４の編集領域に設定される。選択設定部２０２は、放射線画像の処理として、表示領域から画像処理を選択し、編集領域に設定することが可能である。
【００２５】
処理手順生成部２０３は、表示部１０４の編集領域に設定された処理に基づいて、放射線撮影による検査目的に対応した処理手順を生成する。放射線画像の処理が表示部１０４の編集領域に複数設定されている場合、処理手順生成部２０３は、複数設定されている処理の組み合せに基づいて放射線画像の処理を行う一連の処理手順を生成する。
【００２６】
表示制御部２０４は、表示部１０４のＧＵＩの表示を制御する。例えば、操作者が入力した設定値に基づいて、ＧＵＩの表示を変更したり、詳細な条件設定を行うための設定画面を表示部１０４に表示させることが可能である。また、表示制御部２０４は、目的設定部２０１により設定された放射線撮影による検査の目的に応じて、表示部１０４の表示領域において選択可能な処理の表示を変更させる表示制御を行うことが可能である。例えば、選択可能な処理の候補を記憶装置１１５に記憶させておき、放射線撮影による検査目的に対応する処理を記憶装置１１５から読出し表示部１０４の表示領域に表示させることができる。
【００２７】
条件設定部２０５は、検査の依頼元の情報に基づいて、処理手順の実行条件を設定する。例えば、条件設定部２０５は、ＲＩＳから受信した検査情報に含まれる検査の依頼元の情報（例えば、依頼科の医師名などの情報）を検査目的に連携させたり、処理手順の実行条件の設定を行う。条件設定部２０５は、処理手順の実行条件として操作者の識別情報と、生成された処理手順の公開範囲を設定することが可能である。
【００２８】
詳細設定部２０６は、表示部１０４の編集領域に設定された処理の詳細設定を行うことが可能である。例えば、詳細設定部２０６は、画像処理として放射線画像の複製画像を生成する場合に、画像の生成条件として、外部機器側での読影の順番に応じて、複製画像を格納する階層構造を設定することが可能である。
【００２９】
処理手順保存部２０７は、処理手順生成部２０３で生成された処理手順を記憶装置１１５に保存する機能ブロックである。
【００３０】
目的決定部２０８は、これから実施する放射線撮影による検査目的を決定する機能ブロックであり、目的決定部２０８は、ＧＵＩからの入力に基づいて、放射線撮影による検査目的を決定することが可能である。例えば、目的決定部２０８は、ＧＵＩ上の検査目的の一覧から検査の目的を決定することが可能である。また、目的決定部２０８は、外部機器１０６から受信した検査情報に含まれる検査の依頼元の情報に基づいて、検査目的を決定することが可能である。例えば、目的決定部２０８は、ＲＩＳから受信した検査情報から検査目的の情報を取得して自動的に放射線撮影による検査目的を決定することも可能である。
【００３１】
処理手順読出部２０９は目的決定部２０８によって決定された検査目的に応じて、記憶装置１１５に保存されている処理手順を読み出す機能ブロックである。処理手順実行部２１０は処理手順読出部２０９によって読み出された処理手順に従って様々な処理手順を実行するブロックである。図１に示したＤＩＳＫ/ＩＦ１１３は、外部から検査情報を取得する取得部として機能する。処理手順実行部２１０は、ＤＩＳＫ/ＩＦ１１３（取得部）が取得した検査情報に含まれる検査目的に対応した処理手順に基づいて、放射線画像の処理を行う。
【００３２】
（放射線撮影処理のフロー）
次に、本実施形態に係る放射線撮影処理のフローを説明する。放射線撮影による検査目的に対応して種々の処理手順が、例えば、図５〜図１２に示すＧＵＩを用いることにより、目的設定部２０１、選択設定部２０２、処理手順生成部２０３、表示制御部２０４、条件設定部２０５、詳細設定部２０６及び処理手順保存部２０７の処理に基づいて生成され、記憶装置１１５に記憶される。
【００３３】
図３に示す放射線撮影による検査を行う場合に、目的決定部２０８は、これから実施する放射線撮影による検査目的を決定する。ここで、目的決定部２０８は、外部機器１０６として機能するＲＩＳから受信した検査情報に含まれる検査目的の情報に基づいて、検査目的を決定することもできる。処理手順読出部２０９は、目的決定部２０８により決定された検査目的に対応する処理手順を読み出す。放射線撮影装置は、被検者を透過した放射線画像を取得し、処理手順実行部２１０は、処理手順読出部２０９により読み出された処理手順に基づいて、放射線画像の処理を行う。
【００３４】
図３は、本実施形態に係る放射線撮影による検査の流れを説明する図であり、被検者情報の入力から検査終了までの手順を示している。尚、本フローチャートでは、分かりやすさを優先するために、より具体的な事例（開腹手術の後に止血用ガーゼの有無を確認するための確認用の放射線検査）に基づいて説明する。以下に説明する放射線撮影処理のフローの実行開始前に、確認用の放射線検査に対応する処理手順が、予め「ガーゼオーマ」という検査目的の処理手順として設定されているものとする（ＧＵＩを用いた処理手順の具体的な設定方法については後に具体的に説明する）。
【００３５】
ステップＳ３００において、放射線撮影による検査の前に、処理手順を生成し、記憶装置１１５に保存する。後に説明する図５〜図１２に示すＧＵＩの入力に基づいて、目的設定部２０１、選択設定部２０２、処理手順生成部２０３、表示制御部２０４、条件設定部２０５、詳細設定部２０６及び処理手順保存部２０７が、処理を行い、設定された検査目的に対応した種々の処理手順を生成し、記憶装置１１５に保存する。
【００３６】
ステップＳ３０１では、被検者情報を入力する。これから検査を行う被検者の被検者の識別情報（ＩＤ）、名前、性別、生年月日などの被検者情報を入力する。被検者情報は操作者がマニュアルで入力する他、ＩＤカードの読込み、ＲＩＳからの検査情報による入力など様々な方法が考えられるが、被検者情報を入力出来さえすればどのような方法でも構わない。
【００３７】
ステップＳ３０２では、撮影プロトコルを決定する。撮影プロトコルには撮影部位や方向、放射線条件、画像処理条件など、撮影に必要な情報があらかじめ関連付けられてパッケージ化されている。操作者はＧＵＩ上に表示された撮影プロトコル一覧から撮影プロトコルをマウス等でクリックすることで撮影プロトコルを選択する。本実施形態では「腹部正面（仰臥位）」という撮影部位を選択するものとする。
【００３８】
ステップＳ３０３では、これから実施する放射線撮影による検査目的を決定する。操作者は、例えば、ＧＵＩの目的入力部に入力したり、ＧＵＩ上に表示された検査目的一覧から検査目的を選択することにより、目的決定部２０８は、放射線撮影における検査目的を決定することが可能である。目的決定部２０８は、ＲＩＳから受信した検査情報から検査目的の情報を取得して自動的に設定することも可能である。
【００３９】
ステップＳ３０４では、処理手順読出部２０９は、ステップＳ３０３で決定した検査目的に基づき、予め設定された処理手順を読み出す。種々の検査目的に対応して処理手順が記憶装置１１５に記憶されており、処理手順読出部２０９は、決定した検査目的に関連付けられている処理手順を記憶装置１１５から読み出す。
【００４０】
例えば、ステップＳ３０３で、操作者によりＧＵＩ上で「ガーゼオーマ」という検査目的がＧＵＩの目的入力部に入力された場合に、処理手順読出部２０９は、その目的に関連付けられている処理手順を記憶装置１１５のデータベース等から読み込む。ここで読み出された処理手順には、処理手順生成部２０３の生成処理により、予め「撮影画像を複製したのち異物強調処理をかける」という処理手順が生成されているものとする。この処理手順には、「撮影画像を複製」という処理と、複製した画像データに対して、「異物強調処理」をかけるという２つの処理が含まれており、ここで設定されている２つの処理（処理手順）が後に説明するステップＳ３０７（画像複製）とステップＳ３０８（異物強調処理）とで実行される。尚、ステップＳ３０１からステップＳ３０３に関する処理は、検査開始前にこれらの情報が入力さればよく、必ずしも図３に示す順序で処理する必要はない。
【００４１】
ステップＳ３０５では、操作者が検査開始ボタンをクリックして検査開始を放射線撮影システムに指示すると、放射線撮影システムは検査を開始する。尚、ステップＳ３０４における処理手順の読出しはステップＳ３０５の後に実行しても良く、実際の放射線撮影が行われる前であればどの順序で実行されても構わない。検査を開始するとステップＳ３０２で入力された「腹部正面（仰臥位）」の撮影に向けて、制御部１０１は、センサ部１０２を撮影許可状態にし、放射線発生部１０３に対して放射線発生条件を設定する。
【００４２】
撮影準備が整い照射可能状態になると、ステップＳ３０６において、操作者が照射スイッチを押下し、照射開始信号を受信した放射線発生部１０３が放射線を照射する。被検者を透過した放射線はセンサ部１０２で放射線画像データが生成され、制御部１０１へ転送される。制御部１０１へ転送された放射線画像データは、表示部１０４に表示される。
【００４３】
ステップＳ３０７では、ステップＳ３０４で読み出された処理手順に基づいて、処理手順実行部２１０は、ステップＳ３０６で撮影された放射線画像データを複製する。放射線画像データの複製処理は、検査目的の関連付けられている処理手順「撮影画像を複製したのち異物強調処理をかける」のうち、「撮影画像を複製」に対応するものである。
【００４４】
その後、ステップＳ３０８において、処理手順実行部２１０は、ステップＳ３０７で複製された放射線画像データに対して異物強調処理をかける。この処理もステップＳ３０４で読み出された処理手順に基づいて行われる。異物強調処理は、検査目的の関連付けられている処理手順「撮影画像を複製したのち異物強調処理をかける」のうち、「異物強調処理をかける」に対応するものである。
【００４５】
最終的にステップＳ３０８で、被検者の体内の異物（ガーゼ）が見やすいように異物強調処理がかけられた腹部画像が表示部１０４に表示される。画像の確認が完了し、これ以上の撮影は不要だと判断されると、ステップＳ３０９において操作者が検査終了ボタンをクリックし、放射線撮影システムにおける検査は終了する。
【００４６】
（ＧＵＩを用いた処理手順の設定例）
次に放射線撮影システムのＧＵＩを説明する。制御部１０１は表示部１０４における各種ＧＵＩの表示制御を行うことが可能である。図４（ａ）は検査開始前に撮影部位および撮影目的を入力する画面のＧＵＩ例を示す図である。表示部１０４のアプリケーション画面４０１内には、撮影プロトコル表示領域４０２が表示されている。撮影プロトコル表示領域４０２には、本撮影システムで撮影可能な撮影プロトコルがカテゴリごとに並んで表示されている。各撮影プロトコルには、撮影部位（例えば、胸部や腹部等）や撮影方向（例えば、立位や仰臥位や側臥位など）、放射線条件、画像処理条件など、撮影に必要な情報が予め関連付けられているものとする。
【００４７】
撮影プロトコル表示領域４０２に表示されている撮影プロトコルを、操作者が操作部１０５によりクリックするなど、選択操作を行うと、これから行う撮影用の撮影プロトコルが選択され、選択された撮影プロトコルが表示領域４０５に表示される。図４において、表示領域４０５には、撮影プロトコル表示領域４０２から撮影プロトコル４１０（「腹部正面（仰臥位）」）が１つ選択され、表示領域４０５に設定されている状態を例示的に示している。
【００４８】
被検者情報の表示領域４０３には、例えば、別画面（不図示）で入力された被検者名、被検者を特定するための識別情報（被検者ＩＤ），生年月日、性別等が表示されている。
【００４９】
設定領域４０４は検査目的の設定領域であり、図４ではリスト上に表示される目的一覧から「ガーゼオーマ」という検査目的が選択されていることを示している。リスト上には、プルダウンメニュー形式で複数の検査目的が表示されており、操作者は操作部１０５の選択操作により検査目的を選択することで、設定領域４０４の検査目的が設定される。
【００５０】
４０６は検査開始ボタンであり、操作者が検査開始ボタン４０６を操作部１０５によりクリックすると、放射線撮影システムは検査を開始する。
【００５１】
本実施形態では、検査目的の関連付けられている処理手順として、「撮影画像を複製したのち異物強調処理をかける」という処理が設定されているものとする。
【００５２】
図４（ｂ）は検査開始後、「腹部正面（仰臥位）」の撮影を実行した後の表示部１０４の画面を例示的に示す図である。画像表示領域４０７には、撮影された放射線画像データが表示される。撮影後の状態では、制御部１０１は検査終了ボタン４０８を無効化の状態として、検査目的に関連付けられた処理が終了後に、検査終了ボタン４０８を有効化する。検査目的に関連付けられた処理手順が設定されていなければ、制御部１０１は撮影後に検査終了ボタン４０８を有効化の状態として、操作者が検査終了ボタン４０８を操作部１０５によりクリックすると検査は通常終了となるが、図４（ｂ）の画面が表示された撮影後の時点では検査目的に関連付けられた処理（撮影画像の複製、異物強調処理）がすべて完了していないため、検査終了ボタン４０８をクリックしても、処理は終了することは出来ない。
【００５３】
図４（ｃ）は、検査目的に関連付けられた処理手順が終了した後の表示部１０４の画面を例示的に示す図である。画像表示領域４０７には、図４（ｂ）に表示されている放射線画像の撮影後、「ガーゼオーマ」という検査目的に関連付けられた処理手順に基づき、画像複製が行われ、複製された画像（複製画像）に対して異物強調処理が施された画像処理済みの画像が表示される。
【００５４】
表示領域４０５には、検査目的に関連付けられている各処理手順の表示４０９Ａ、４０９Ｂが表示されている。処理手順の表示４０９Ａは、画像複製の処理手順を示すものであり、図４（ｂ）の画像表示領域４０７に表示されていた放射線画像を複製する処理に対応する。
【００５５】
表示制御部２０４は、処理手順に基づいて処理した画像を縮小したサムネイル画像と、処理手順の内容を示すテキスト表示とを組み合せて表示部１０４に表示することが可能であり、処理手順の表示４０９Ａには、複製した画像を縮小したサムネイル画像のアイコン表示と、どのような処理手順の処理を実行したかを示すテキスト表示（「画像複製」）とが組み合わされた状態で表示される。
【００５６】
また、処理手順の表示４０９Ｂは、複製された画像に対する異物強調処理の処理手順を示すものである。処理手順の表示４０９Ｂには、異物強調した画像を縮小したサムネイル画像のアイコン表示と、どのような処理手順の処理を実行したかを示すテキスト表示（「異物強調」）とが組み合わされた状態で表示される。
【００５７】
尚、処理手順が予め設定されている場合、制御部１０１は、設定されている処理手順に基づいて、図４（ｂ）の撮影画像の表示状態から図４（ｃ）の処理手順による画像処理後の表示状態への状態遷移を自動的に行うことが可能である。検査目的に関連付けられた処理手順が終了後に、制御部１０１は、検査終了ボタン４０８を有効化する。これにより、操作者が検査終了ボタン４０８を操作部１０５によりクリックすると、検査を終了することができる。
【００５８】
（検査目的および処理手順の設定例）
次に、ＧＵＩを用いた検査目的および処理手順の設定方法について説明する。図５は処理手順を設定するＧＵＩの一例を示す図である。表示制御部２０４は表示部１０４の表示を制御して、ＧＵＩとして編集画面５０１を表示させる。編集画面５０１において、目的入力部５０２は、検査目的を設定する入力領域である。目的入力部５０２に入力された情報は検査目的のラベルとして操作者が識別するための情報として利用可能である。
【００５９】
実行条件設定部５０３は、処理手順の実行条件を設定する入力領域であり、図５のＧＵＩでは操作者が手動で選択することを意味する「マニュアル」が設定されている。実行条件設定部５０３の右端のアイコン５３１は実行条件を設定するためのサブ画面（不図示）を呼び出す役割を果たしており、サブ画面上で選択された内容が実行条件設定部５０３に設定される。
【００６０】
図５において、オブジェクトブロック表示部５０４、機能ブロック表示部５０５および条件ブロック表示部５０６は、表示部１０４の表示領域を構成する。また、図５において、処理編集部５０７は、表示部１０４の編集領域を構成する。
【００６１】
オブジェクトブロック表示部５０４は、目的入力部５０２で入力された目的に対応した処理を表示する領域である。ここでは、対象となる処理（ブロック）として、「検査」および「撮影」が選択可能な状態で表示されている。マウス等の操作部１０５を用いたドラッグアンドドロップにより選択された処理（ブロック）が、目的入力部５０２の目的に対応した処理として、処理編集部５０７に設定される。図５の例では、撮影が選択され、処理編集部５０７に設定された例を示している。
【００６２】
機能ブロック表示部５０５は、例えば、画像コピーや異物強調処理といった、画像に対する様々な具体的な処理を一つの処理項目（機能ブロック）として、表示する表示領域である。ここでドラッグアンドドロップにより選択された処理項目（機能ブロック）が、画像に対する具体的な処理として、処理編集部５０７に設定される。図５の例では、画像コピーと異物強調が選択され、処理編集部５０７に設定された例を示している。
【００６３】
条件ブロック表示部５０６は特定の条件に基づいて処理を分岐する際に利用する条件分岐処理ブロックを表示する表示領域である。ここでは、条件分岐処理ブロックとして「ＩＦ」が表示されている。この他、条件ブロック表示部５０６には、「ＩＦ_ＥＬＳＥ」など、種々の条件分岐処理ブロックを表示することも可能である。条件分岐処理ブロックが選択され、処理編集部５０７に設定されると、処理手順生成部２０３は、機能ブロック表示部５０５から選択された処理（機能ブロック）の結果に対して条件判断処理を行う処理手順を生成する。
【００６４】
処理編集部５０７は検査における処理手順を設定するための編集領域であり、オブジェクトブロック表示部５０４、機能ブロック表示部５０５、条件ブロック表示部５０６に表示される各ブロックを、操作者がマウス等の操作部１０５でドラッグアンドドロップすることにより、処理手順の内容を設定する作業領域である。
【００６５】
検査ブロック５０７１は、１つの検査の開始から終了までの一連の処理手順を表現している。コの字型の図形の内側に、様々なブロックを配置していくことで検査における処理手順を設定することができる。処理手順生成部２０３は、複数設定されている処理の組み合せに基づいて放射線画像の処理を行う一連の処理手順を生成する。図５の例では、撮影した画像Ａに対する画像処理として画像コピーと異物強調を行う処理手順が生成される。
【００６６】
オブジェクトブロック表示部５０４から、処理（ブロック）として、「撮影」がドラッグアンドドロップにより選択されると、撮影ブロック５０７２が処理編集部５０７に設定される。撮影ブロック５０７２は、撮影によって収集された画像に対してＡという名称を付けていることを表している。表示制御部２０４の表示制御により、Ａという名称はデフォルトで設定されており、操作者が操作部１０５を用いて任意に設定変更することも可能である。
【００６７】
機能ブロック表示部５０５から、処理項目（機能ブロック）として、「画像コピー」および「異物強調」がドラッグアンドドロップにより選択されると、画像コピーブロック５０７３および異物強調ブロック５０７４が処理編集部５０７に設定される。
【００６８】
画像コピーブロック５０７３は画像を複製することを示す。機能ブロック表示部５０５の表示領域中の画像コピーを処理編集部５０７にドラッグすると、表示制御部２０４は、画像のコピー元、コピー先を入力できるようにＧＵＩの表示形式を変更する。図５の表示例では画像Ａを画像Ｂとしてコピーするように設定されている。コピー元画像の「Ａ」はこの処理ブロックより前に存在する画像が「Ａ」しかないため、操作性の観点から、表示制御部２０４は、コピー元画像名「Ａ」を自動入力し、コピー後の画像名「Ｂ」も自動的に入力するようにＧＵＩの表示を制御することが可能である。
【００６９】
異物強調ブロック５０７４は複製された画像Ｂに対して異物強調処理を行うことを示している。機能ブロック表示部５０５の表示領域中の異物強調ブロックを処理編集部５０７にドラッグすると、表示制御部２０４は、どの画像に対して異物強調処理をかけるかを設定できる態様にＧＵＩの表示を変更する。ここでは画像「Ｂ」に対して異物強調処理をかけるように設定されている。
【００７０】
表示制御部２０４は、直前に扱っている画像（図５の場合は、画像Ｂ）に対して異物強調処理をかけることを優先し、異物強調処理の対象画像として、直前に扱っている画像をデフォルトで設定することが可能である。
【００７１】
検査ブロック５０７１は検査の中で繰り返し行われる処理手順のループを表現しており、撮影ブロック５０７２が検査内の個々の撮影を意味している。つまり、検査オーダーで胸部正面、胸部側面の２つの撮影依頼があった場合に、撮影ブロック５０７２はそれぞれの撮影を行う設定となる。図５のような処理手順を設定した場合、検査内で撮影されるすべての画像に対して異物強調が行われるという設定になる。
【００７２】
異物強調ブロック５０７４の設定で、もし撮影部位に応じて処理を変えたいという場合に、ドラッグアンドドロップにより条件ブロックを配置して、「画像Ａの撮影部位が胸部正面の場合」といった条件を設定することによって処理を分岐するという処理手順を生成することも可能である。条件ブロックの活用例については後述する。
【００７３】
マウス等の操作部１０５によりキャンセルボタン５０８がクリックされると、表示制御部２０４は、編集画面５０１の編集内容を破棄して編集画面５０１を閉じるように表示部１０４の表示を制御する。一方、マウス等の操作部１０５によりＯＫボタン５０９がクリックされると、表示制御部２０４は、編集画面５０１の編集内容を保存して編集画面５０１を閉じる。
【００７４】
以上のように、本実施形態によれば、放射線画像を、予め設定した処理手順に従って処理することで、操作者の作業負担を軽減することが可能になる。目的に応じて要求される様々な処理をあらかじめ設定した処理手順により処理することができるため、操作者にとって煩わしいルーチン作業を強いることがなくなり使い勝手にすぐれた放射線撮影技術の提供が可能になる。
【００７５】
［実施形態２］
先に説明した実施形態１では、処理の目的の設定を手作業で入力する構成を説明したが、処理の目的（検査目的）はＲＩＳから受信した検査情報に含まれる検査の依頼元の情報と連携させることも可能である。そのような実施形態として、依頼科の医師名に検査目的を連携させる例を説明する。
【００７６】
病院において検査の依頼を出す部門には、例えば、内科、呼吸器科、整形外科など様々な部門があり、依頼する医師もさまざまである。例えば、胸部正面画像を読影する際に、モノクロ反転した画像も一緒に参照したいという医師もいれば、そうでない医師もいることがある。
【００７７】
通常、検査情報には撮影する放射線画像の依頼情報のみが含まれ、撮影した画像をもとに別の画像処理をかけた画像を依頼するということはなされていない。すなわち、本実施形態においては「胸部正面」という１枚の画像を撮影する旨が検査情報として通知される。
【００７８】
一方、検査情報には依頼元の医師名を含めることが可能である。例えばDICOMプロトコルで通知されるModality WorklistではReferring Physician’s Nameと呼ばれる参照情報が存在し、検査結果を参照する医師の名前を通知することが可能である。この参照情報と検査目的とを関連付けることによって、受信した検査情報から検査目的を自動的に選択することも可能である。つまり、検査目的として、「医師Ａ」に対して、処理手順として、撮影画像を複製し、モノクロ反転するという処理を事前に設定することで、依頼科の医師名に応じて、モノクロ反転した複製画像を生成するといった、撮影画像に対する具体的な処理を自動的に行うことが可能になる。
【００７９】
図６（ａ）は本実施形態において使用する検査目的の編集画面の一例を示す図である。本実施形態では、重複をさけるため、図５との差分についてのみ説明する。
【００８０】
目的入力部６０１の入力領域には、検査目的として、「医師Ａ向け」という文字列が入力されている。実行条件設定部６０２には「参照医師名がＡに等しい」という条件が入力されている。また、編集領域６１７には、機能ブロック表示部５０５（図５）の表示領域中のモノクロ判定がドラッグアンドドロップにより選択され、モノクロ反転処理ブロック６０３が設定されている。モノクロ反転処理ブロック６０３には、撮影画像Ａを画像コピーして得られる画像Ｂに対してモノクロ反転するという処理が設定されている。
【００８１】
図６（ｂ）は実行条件設定部６０２の内容を設定する実行条件の詳細設定画面を示している。実行条件設定部６０２の右側のアイコン６１５がマウス等の操作部１０５によりクリックされると、表示制御部２０４は表示部１０４の表示を制御して、サブ画面のＧＵＩとして実行条件の詳細設定画面６０４を表示させる。詳細設定画面６０４には、検査目的に連動する項目や、その条件、公開範囲などを設定することができる。
【００８２】
連動アイテム選択部６０５は、ＲＩＳから受信するＤＩＣＯＭモダリティワークリスト（以下、ＤＩＣＯＭ（ＭＷＬ）とも表記する）と連携することを示している。追加条件選択部６０６の表示は、連動アイテム選択部６０５の選択に依存して選択肢が変更される。例えば、ＤＩＣＯＭ（ＭＷＬ）との連動が選択されている場合には、ＲＩＳから受信する検査情報に含まれるＤＩＣＯＭのタグの一覧が選択できるようになる。例えば、具体的な利用ケースでは連動アイテムが選択されるとそのアイテムに応じた追加条件リストが自動展開され、ユーザである操作者はアイテムに応じた追加条件リストの中から所望の条件を選択することが可能である。例えば、依頼元の医師に関する情報を選択することも可能である。
【００８３】
連動アイテム選択部６０５で選択可能な連動アイテムには、本実施形態にて示したＤＩＣＯＭ（ＭＷＬ）以外に、例えば、ユーザ情報、被検者情報、撮影部位、検査種別、検査時刻等が選択可能であり、本実施形態に示した例に限るものではない。例えば、被検者情報に喫煙歴があるという情報が含まれていた場合、追加の撮影部位として肺野結節の描出に適した画像処理をかけるなどといったことも可能である。
【００８４】
条件一覧表示領域６０７は、追加条件選択部６０６で選択された条件を表示する表示領域である。ここでは、ＤＩＣＯＭモダリティワークリストで受信した情報のうち「参照医師名（０００８、００９０）」（括弧表記はＤＩＣＯＭのタグ番号）の値が「Ａ」と等しいという条件が追加されている。尚、図６（ｂ）において、追加条件選択部６０６の表示が空（ブランク）となっているのは追加条件選択直後の状態であるためである。条件を複数追加したい場合は、追加条件選択部６０６を再度展開し、所望の条件を選択することによって可能である。
【００８５】
条件削除ボタン６０８が、マウス等でクリックされると、条件一覧表示領域６０７の条件一覧から条件を取り除くことができる。条件選択部６０９は、受信した参照医師名と比較する条件を指定する。ここでは「等しい」という条件が設定されているが、この他にも「より大きい」「より小さい」「以上」「以下」「等しくない」のような条件を設定することが可能である。評価値入力部６１０は条件選択部６０９で設定された条件を評価するための値を入力する入力領域である。本実施形態においては「参照医師名がＡである」という条件を設定するために、評価値として「Ａ」が入力されている。条件設定部２０５は、ＲＩＳから受信した検査情報に含まれる検査の依頼元の情報に基づいて、処理手順の実行条件を設定する。
【００８６】
公開範囲設定部６１１は、本設定をどの範囲に公開するかを設定することが可能である。図６（ｂ）の例では、公開範囲を制限しない、すなわち「指定なし」としているが、例えば、本設定を作成した操作者に限定することも可能であり、操作者の所属するグループに限定するといった選択も可能である。ＯＫボタン６１２がマウス等でクリックされると、実行条件の詳細設定画面６０４の編集内容が保存される。一方、６１３キャンセルボタン６１３がマウス等でクリックされると、実行条件の詳細設定画面６０４の編集内容が破棄され、詳細設定画面６０４が閉じられる。
【００８７】
本実施形態のように、検査の依頼元の情報に基づいて、検査目的を設定することにより、依頼元に応じて撮影画像に対する具体的な処理を自動的に行うことが可能になる。例えば、医師Ａからの依頼に基づいて放射線撮影を行うと、撮影が行われた後に、自動的に画像が複製され、複製画像に対してモノクロ反転処理を自動的に行うことができる。
【００８８】
［実施形態３］
実施形態２においては、検査情報に含まれる検査の依頼元の情報（依頼元の医師の好み）に応じた画像を効率良く処理する例について説明したが、操作者の好みに応じた処理を設定することも可能である。例えば、操作者Ｘと操作者Ｙは同じ画像を処理する際に異なる処理フローで処理を行うようなケースである。
【００８９】
操作者Ｘは胸部画像を撮影する際にマニュアルで画像処理を調整するのに対し、操作者Ｙは肺野部分に適した画像処理、カテーテル先を強調する処理、縦隔の読影に適した画像処理をかけた画像を作成し、出力画像を決めるものとする。このようなケースでは、操作者Ｙは、１枚目の胸部正面画像を撮影した後、画像を３つ複製し、それぞれに対して肺野に適した画像処理、カテーテルを強調する処理、縦隔に適した画像処理をかけるというという処理手順に対応した検査目的を設定すればよい。
【００９０】
図７は、実施形態３における検査目的を設定するＧＵＩの一例を示す図である。図７（ａ）は、編集画面を示し、図７（ｂ）は実行条件の詳細設定画面を示している。図７（ａ）の編集画面において、目的入力部７０１には、検査目的として、胸部正面の画像を撮影する操作者Ｙ用であることを示す「胸部正面  操作者Ｙ」が入力されている。実行条件設定部７０２にはプロトコルが胸部正面かつユーザＩＤがＹであることを示す文字列が入力されている。この文字列は図７（ｂ）の実行条件の詳細設定画面で設定された条件を元に自動生成することが可能である。
【００９１】
画像処理ブロック７０３、７０４、７０５には撮影画像ＡからコピーされたＢ，Ｃ，Ｄという３つの画像に対してそれぞれ肺野に適した処理、カテーテル先強調処理、縦隔に適した処理をかけるという設定が設定されている。
【００９２】
図７（ｂ）に示す実行条件の詳細設定画面において、連動アイテム選択部７０６には実行条件の詳細画面中の連動アイテムとして操作者が選択されている。ここで選択された項目に応じて、追加条件選択部７０７の選択項目が変更される。条件一覧表示領域７０８には２つの条件が登録されている。１つめはプロトコル名が「胸部正面」であり、２つめは本システムにログインしている操作者の識別情報「ＵｓｅｒＹ」である。これら２つの条件が追加されている。尚、図７（ｂ）の実行条件の詳細設定画面において、追加条件選択部７０７の表示が空（ブランク）となっているのは追加条件選択直後の状態であるためである。公開範囲設定部７０９には「自分のみ」が設定されており、図７で設定した検査目的に対応した処理手順の公開範囲が自分自身にしか利用できないことを示している。図７（ａ）、（ｂ）のＧＵＩの設定に基づいて、条件設定部２０５は、処理手順の実行条件として操作者の識別情報と、生成された処理手順の公開範囲を設定することが可能である。
【００９３】
本実施形態のように、操作者の設定した情報に基づいて、検査目的と実行条件を設定することにより、撮影画像に対する具体的な処理を自動的に行うことが可能になる。以上のような検査目的を設定することにより、他の操作者の運用には一切影響を与えずに、処理手順の設定を行った操作者Ｙが胸部正面撮影を行う際には前述したような画像を自動的に得ることが可能になる。
【００９４】
［実施形態４］
画像を複製した場合に、ＰＡＣＳ側の読影の順番に応じて画像の識別情報（ＩＤ）の付番条件を変更することが必要となる場合がある。例えば、ＤＩＣＯＭの運用では、画像オブジェクトをＳｔｕｄｙ（スタディ）、Ｓｅｒｉｅｓ（シリーズ）、Ｉｍａｇｅ（イメージ）と呼ばれる階層構造で表現し、１つのシリーズに１つのイメージのみを含める、あるいは、１つのシリーズに複数のイメージを含めるといったことが可能である。本撮影システムではＤＩＣＯＭの運用に応じて、画像の階層構造を自由に変更することも可能である。詳細設定部２０６は、表示部１０４の編集領域に設定された処理（例えば、画像コピー）の詳細設定を行うことが可能である。詳細設定部２０６は、画像処理として放射線画像の複製画像を生成する場合に、画像の生成条件として、ＰＡＣＳ等の外部機器側での読影の順番に応じて、複製画像を格納する階層構造を設定することが可能である。
【００９５】
図８は、図５の処理編集部５０７に設定されている画像コピーブロック８００の詳細設定を行う際のＧＵＩを例示する図である。詳細設定ボタン８０１がクリックされると、表示制御部２０４の表示制御により、画像コピー詳細設定画面８０２が表示される。画像コピー詳細設定画面８０２では、コピーされる画像の生成条件として、画像の階層構造を設定することができる。
【００９６】
図８では、複製された画像をコピー元と同じシリーズに含める設定８１０、別シリーズとする設定８２０、別検査とする設定８３０の３つのオプションが選択可能であり、図８の例では、別シリーズとする設定が選択されている例が示されている。画像コピー詳細設定画面８０２から、いずれかを選択することで、画像コピーした際に生成される画像の階層構造を自由に設定することができる。尚、操作者がこのオプションを選択すると同時に、表示制御部２０４は、画像コピー詳細設定画面８０２を閉じるように表示制御することが可能である。本実施形態によれば、ＤＩＣＯＭの運用に適した処理手順を設定することが可能になる。
【００９７】
［実施形態５］
実施形態４において画像を複製した場合に、別検査（別スタディ）とする場合は、画像コピー詳細設定画面８０２（図８）において別検査とする設定８３０を選択する。このとき、新たな検査が生成されることになるため、例えば、図５に示した編集画面５０１の処理編集部５０７において、図５の検査ブロック５０７１に対応する新たな検査ブロックが追加されることとなる。
【００９８】
図９は実施形態５における処理編集部における検査ブロックの表示例を示す図である。図８において、別検査とする設定８３０が選択されると、１つめの検査で撮影された画像を複製する際に、複製した画像に対する処理が別検査の画像としてコピーされる。検査ブロック９０１は１つめの検査を示しており、画像コピーブロック９０２は１つ目の検査で撮影された画像Ａを画像Ｂとしてコピーすることが設定されている。ここで生成された画像Ｂが別の検査「ＳＴＤ２」としてコピーされる。この検査ブロックは前述した画像コピー詳細設定画面８０２にて複製した画像を別検査とするオプション（別検査とする設定８３０）を選択した場合の状態であり、画像コピー詳細設定画面８０２が閉じられると新たに生成された検査「ＳＴＤ２」を示す検査ブロック９０３と、画像を示す画像ブロック９０４とが自動的に生成される。検査ブロック９０３には、機能ブロック表示部５０５（図５）から選択された処理項目（機能ブロック）として、モノクロ反転処理が、画像Ｂに対する具体的な処理として設定されている。
【００９９】
図８において、別検査とする設定８３０が選択された場合、すなわち、詳細設定部２０６により複製画像が別検査の画像として生成することが設定された場合、選択設定部２０２は、表示部１０４の処理編集部５０７（編集領域）に別検査の画像に対する処理（図９の例ではモノクロ反転処理ブロック）を設定し、処理手順生成部２０３は別検査の画像Ｂに対する処理手順を生成する。
【０１００】
本実施形態によれば、別検査用の検査ブロックに対する処理手順を設定することにより、画像コピー処理に対する設定として、別検査とする設定８３０が選択された場合であっても、最初の検査で撮影した放射線画像から生成されたコピー画像に対する処理を予め設定した処理手順で自動的に処理することが可能になる。
【０１０１】
［実施形態６］
放射線検査では、処理の結果に応じて次の処理を変更することが必要となる場合がある。例えば、撮影画像に対して体動検知処理を行い、体動ありと判断された場合には再撮影を行うといった場合である。本実施形態ではこのような場合についての処理手順の設定について説明する。
【０１０２】
図１０は、体動検知処理の条件判断を含む処理手順のＧＵＩを例示する図であり、撮影された画像Ａに対して体動検知処理を行い、判断結果が「体動検知あり（ＴＲＵＥ）」であれば再撮影を行うという処理手順が設定されている。目的入力部１００１には、検査目的として「胸部正面」が入力されており、実行条件設定部１００２にはプロトコル名が胸部正面の時に本条件が実行される旨が設定されている。
【０１０３】
選択設定部２０２により、表示部１０４の表示領域から条件判断処理（条件分岐処理ブロック）が選択され、表示部１０４の処理編集部５０７（編集領域）に設定された場合、処理手順生成部２０３は、処理の結果に対して条件判断処理を行う処理手順を生成する。
【０１０４】
図９において、機能ブロック表示部５０５から撮影画像（画像Ａ）に対する具体的な処理として、マウス等によるドラッグアンドドロップにより選択された体動検知処理ブロック１００３が設定されている。体動検知処理ブロック１００３は、画像Ａに対して体動検知処理を行い、その結果は変数Ｒに格納される。
【０１０５】
条件分岐処理ブロック１００４は、条件ブロック表示部１０１０における条件設定項目１００６を、ドラッグアンドドロップにより処理編集部１０７０に配置することにより生成され、判断条件を編集することができるようになっている。ここでは、「体動検知の結果ＲがＴｒｕｅと等しい」という条件が設定されている。この条件は等号以外にも大小関係を示す不等号なども設定することが可能である。例えば、Exposure Index（ＥＩ値）などの線量指標値が、ある値以下である場合に再撮影するといった条件も構成可能である。
【０１０６】
図１０の処理編集部１０７０には、体動検知有りの場合の処理手順として、機能ブロック表示部５０５から選択された再撮影処理ブロック１００５が設定されている。再撮影処理ブロック１００５は画像Ａの再撮影を行い、得られた画像をＢとするということを示している。
【０１０７】
本実施形態によれば、体動検知処理の条件判断を含む処理手順を設定することにより、体動検知の結果に応じて再撮影を行う処理を自動化することが可能となる。
【０１０８】
［実施形態７］
検査目的を複数定義した場合、実行条件が部分的に重複する場合が生じ得る。例えば、プロトコル名として、「胸部正面」が設定される場合と、プロトコル名として、「胸部正面、かつ、ログインしている操作者Ｘ」とが登録されている場合では、撮影部位として「胸部正面」の実行条件が重複する。
【０１０９】
本実施形態では、条件設定部２０５は、複数の検査目的が設定されている場合に、実行条件の重複の有無を判定し、処理手順生成部２０３は、実行条件の重複が有る場合に、予め設定されている優先度に基づいて、処理手順の生成を行うことが可能である。例えば、検査目的一覧画面（不図示）において、優先順位に従い表示される検査目的の一覧表示画面において、操作部１０５の操作入力により表示順序を入れ替えることによって、処理手順生成部２０３は優先度を変更することが可能である。
【０１１０】
［実施形態８］
放射線画像の撮影後に３つの画像を複製し、それぞれに画像処理をかけるような処理手順が設定されている場合、１つ目の撮影完了後、即座に複製処理が実行されると、最初に撮影した１つ目の画像に不備があった場合に、複製処理および画像処理が完了後に再撮影を実行することになる。
【０１１１】
本実施形態では、撮影完了後、画像を確認した後、後処理として撮影した放射線画像から複数の画像を複製する処理手順の設定例を説明する。
【０１１２】
図１１のＧＵＩでは、処理手順として、検査ブロックで画像Ａを撮影した後に、後処理ブロック１１０１が設定されている。後処理ブロック１１０１は、オブジェクトブロック表示部１１２０の後処理ブロック１１０２をマウス等の操作部１０５を用いたドラッグアンドドロップにより選択することで、処理編集部１１０７内の検査ブロックの後ろに設定される。
【０１１３】
後処理ブロック１１０１は検査で要求された撮影（図１１の場合は画像Ａの撮影）がすべて完了した後に行うことを示す処理ブロックであり、オブジェクトブロック表示部１１２０の後処理ブロック１１０２は処理編集部１１０７内にドラッグアンドドロップで配置されることにより生成される。
【０１１４】
本実施形態において、選択設定部２０２は、放射線画像の撮影終了後の後処理として行う画像処理を、表示部１０４の表示領域から選択し、処理編集部５０７（編集領域）に設定することが可能である。
【０１１５】
画像コピー処理ブロック１１０３は後処理として画像ＡをＢ、Ｃ、Ｄとして複製することを示している。画像処理ブロック１１０４〜１１０６は複製された画像に対してそれぞれ画像処理を行うことを意味している。画像コピー処理ブロック１１０３および画像処理ブロック１１０４〜１１０６は、機能ブロック表示部５０５から、画像に対する具体的な処理項目（機能ブロック）として、ドラッグアンドドロップにより選択されることにより生成されるものである。
【０１１６】
図７との違いは、図７は放射線画像が撮影されると即座に処理が行われるのに対して、図１１の場合は検査内の撮影がすべて完了した後に、後処理として各種の処理が行われる点である。
【０１１７】
本実施形態によれば、放射線撮影により取得した画像にする画像処理の実行タイミングを任意に設定することを可能にし、撮影完了後の後処理として画像処理をまとめて行うことで、より効率的な放射線撮影を行うことが可能になる。
【０１１８】
［実施形態９］
撮影された放射線画像をＰＡＣＳへ転送するタイミングは実施している検査の内容によって異なる場合がある。例えば、意識不明の被検者が搬送されてきたような場合では緊急検査として撮影した画像を即座に転送することが行われる。一方、外来の検査ではオーダーされた放射線画像の撮影がすべて終了してから転送するように構成されている。
【０１１９】
本実施形態では、緊急検査を検査目的とする場合の処理手順の設定例について説明する。目的設定部２０１により放射線撮影による検査の目的として緊急検査が設定されている場合、選択設定部２０２は、緊急検査に対応した放射線画像の処理として、表示部１０４の表示領域から画像出力を選択し、処理編集部１２０７（編集領域）に設定する。処理手順生成部２０３は、設定された処理（画像Ａの撮影および撮影したが画像の出力）に基づいて、放射線撮影による検査の目的に対応した処理手順を生成する。
【０１２０】
図１２の編集画面１２０１において、目的入力部１２０２には、検査目的として緊急検査が入力されている。また、実行条件設定部１２０３には、検査タイプとして緊急検査に該当する場合が設定されている。
【０１２１】
処理編集部１２０７には、検査ブロック１２７１が設定されており、検査における一連の処理手順として、コの字型の図形の内側に、撮影ブロック１２７２と画像の出力処理ブロック１２７３が設定されている。処理手順生成部２０３は、複数設定されている処理の組み合せ（撮影ブロック１２７２及び画像の出力処理ブロック１２７３）に基づいて放射線画像の処理を行う一連の処理手順を生成する。
【０１２２】
図１２に示すでは、検査目的として「緊急検査」が設定され、実行条件として検査タイプが緊急検査という条件が設定されている。撮影ブロック１２７２の直下に出力処理ブロック１２７３を配置することで画像転送タイミングを、画像の撮影後に転送処理を実行するように設定することが可能となる。
【０１２３】
本実施形態によれば、緊急検査に対応する処理手順を設定しておくことにより、緊急検査を行う場合には撮影した放射線画像を即座に転送することが可能になる
［実施形態１０］
検査目的の実行条件が一致して検査が開始された後、実行条件が途中で変更されるようなケースが存在する。例えば、胸部正面立位というオーダーであっても車いす被検者の場合には操作者の判断により座位で撮影するような場合である。このような場合は、キャンセルボタンの押下により、選択されている検査目的をキャンセルすることや変更することも可能である。
【０１２４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２５】
１０１：制御部、１０２：センサ部、１０３：放射線発生部、１０４：表示部、１０５：操作部、１０６．外部機器
【図１】
2019180605.tif 000003
【図２】
2019180605.tif 000004
【図３】
2019180605.tif 000005
【図４】
2019180605.tif 000006
【図５】
2019180605.tif 000007
【図６】
2019180605.tif 000008
【図７】
2019180605.tif 000009
【図８】
2019180605.tif 000010
【図９】
2019180605.tif 000011
【図１０】
2019180605.tif 000012
【図１１】
2019180605.tif 000013
【図１２】
2019180605.tif 000014